(57)【特許請求の範囲】
【請求項１】
上方開口型の周壁を有する容器本体と、前記容器本体に取り付けられ且つ容器本体の開口部を塞ぐ上面部を有する蓋部材と、前記容器本体と蓋部材に跨がった状態で貼り付けられた封緘ラベルと、を有し、
前記封緘ラベルが、前記蓋部材の上面部に接着された第１領域と、前記容器本体の周壁に接着された第２領域と、前記第１領域と第２領域の間のラベル両側縁を含む領域であってその領域全体が前記容器に非接着とされた中間領域と、を有し、
前記中間領域の面内に、前記第２領域側に両端部を有し且つ前記第１領域側に膨らんだ凸頂部を有する平面視非直線状の切込み線が形成され、
前記切込み線で区画された部分が摘み片とされ、
前記摘み片の少なくとも先端部が、前記封緘ラベルの表面から離れて突出されている、封緘容器。
【請求項２】
前記摘み片の少なくとも先端部が、前記蓋部材の上面部に対して鋭角又は平行となって立ち上げられている、請求項１に記載の封緘容器。
【請求項３】
前記蓋部材の縁部に、外側弧状面が形成され、
前記摘み片の基端部が前記外側弧状面に対応するように、前記封緘ラベルが貼り付けられている、請求項１または２に記載の封緘容器。
【請求項４】
上方開口型の周壁を有する容器本体と、前記容器本体に取り付けられ且つ容器本体の開口部を塞ぐ上面部を有する蓋部材と、前記容器本体と蓋部材に跨がった状態で貼り付けられた封緘ラベルと、を有し、
前記蓋部材の縁部に、上方に延出され且つ平坦な突出面を有する延出部が形成され、
前記封緘ラベルの面内に、両端部を有し且つその両端部から一方側に膨らんだ部分を有する非直線状の切込み線が形成され、
前記切込み線で区画された部分が摘み片とされ、
前記摘み片の基端部が、前記延出部の平坦な突出面に対応するように、前記封緘ラベルが貼り付けられていると共に、前記摘み片の少なくとも先端部が、前記封緘ラベルの表面から離れて突出されている、封緘容器。
【請求項５】
前記摘み片の少なくとも先端部が、前記蓋部材の上面部に対して鋭角又は平行となって立ち上げられている、請求項４に記載の封緘容器。
【発明の詳細な説明】
【技術分野】
【０００１】
本発明は、容器本体と蓋部材に跨がって封緘ラベルが貼付されている封緘容器に関する。
【背景技術】
【０００２】
従来、未開封性を担保するため、容器本体と蓋部材に跨がって封緘ラベルが貼付された封緘容器が知られている。
例えば、特許文献１には、容器の角部に折り曲げ貼着されるタックラベルにおいて、内側面域が容器表面に接着しない非接着面域であり、内側面域を除く周囲面域が容器に対する貼着代となる接着面域であると共に、内側面域には、２本の切り込み線が、互いに向い合って略縦方向に形成され、周囲面域には、ラベルの左右の端縁から内側面域に向う切り込み線が内側面域の左右両側に形成されている封緘用タックラベルが開示されている。かかる封緘用タックラベルが貼付された容器を押圧し、容器からラベルを浮かせて引き剥がそうとすると、切り込み線にてラベルが切り裂かれ、或いは、指先でラベルの縁を捲ると、切り込み線にてラベルが切り裂かれ、元の状態に戻せない。
【０００３】
特許文献１の封緘用タックラベルは、不正開封の有無を判別できる点において優れているが、本来、正規に購入した者にとって開封し難いという問題点がある。具体的には、上述のように、容器を押圧する開封方法は、ラベルが切り裂かれるような部分を押圧しなければならず（つまり、容器のどの部分を押してもラベルが破断するわけではないので、ちょうど良い部分を押圧する必要がある）、さらに、強く押しすぎると容器が変形するというデメリットがあり、また、この方法は、指で押し凹ませるほどの可撓性を有する容器でなければ実現できず、使用する容器が制限される。一方、ラベルの縁から捲る方法は、簡単に開封できず、また、上記のように切り込み線にてラベルが切り裂かれて複数の断片に分かれ、その断片をさらに引き剥がさなければならず、非常に煩雑である。
【０００４】
また、特許文献２には、シート本体と、シート本体に設けられ切込線で区切られた吊下げ部と、吊下げ部以外の部分に設けられ、シート本体の片面に粘着剤層が露出した粘着部と、を有し、前記粘着部の一部が、前記吊下げ部から所定長さに延出した帯状の封止部となり、本体側面と前記蓋部の両方に跨って前記封止部にて蓋部を封止し、吊下げ部が蓋部の中央に位置する吊下げラベルが開示されている。
この吊下げラベルは、吊下げ部にて包装用箱を吊り下げ陳列でき、また、封止部にて包装用箱を封緘できる。しかしながら、この吊下げラベルにあっても、上記と同様に、開封時には、封止部の縁を指先で捲らなければならず、簡単に開封できるものではない。
なお、特許文献２の吊下げラベルは、吊下げ部が包装用箱の上面部に対して直交状に起立するように貼り付けられるが、吊下げ部が上面部に対して直交状に起立していると、包装用箱を梱包箱に梱包などする際に起立状態を維持させるためにスペースを要する。また、その包装用箱の上面部に他の物品などを重ね置きして保管・運搬した際に、吊下げ部が無秩序に押し潰され、他の物品を取り除いた後には、吊下げ部が元のように起立しないおそれがある。
【先行技術文献】
【特許文献】
【０００５】
【特許文献１】特開２００３−０２６２４０号公報
【特許文献２】特許第４４１６１６９号公報
【発明の概要】
【発明が解決しようとする課題】
【０００６】
本発明の第１の目的は、容器を封緘する封緘ラベルが貼付された封緘容器において、封緘ラベルを簡単に開封できる封緘容器を提供する。
本発明の第２の目的は、他の物品などを上面部に重ね置きした後、その物品を取り除いても、摘み片が元のように立ち上がり易い封緘容器を提供することである。
【課題を解決するための手段】
【０００７】
本発明の第１の封緘容器は、上方開口型の周壁を有する容器本体と、前記容器本体に取り付けられ且つ容器本体の開口部を塞ぐ上面部を有する蓋部材と、前記容器本体と蓋部材に跨がった状態で貼り付けられた封緘ラベルと、を有し、前記封緘ラベルが、前記蓋部材の上面部に接着された第１領域と、前記容器本体の周壁に接着された第２領域と、前記第１領域と第２領域の間のラベル両側縁を含む領域であってその領域全体が前記容器に非接着とされた中間領域と、を有し、前記中間領域の面内に、前記第２領域側に両端部を有し且つ前記第１領域側に膨らんだ凸頂部を有する平面視非直線状の切込み線が形成され、前記切込み線で区画された部分が摘み片とされ、前記摘み片の少なくとも先端部が、前記封緘ラベルの表面から離れて突出されている。
【０００８】
本発明の好ましい封緘容器は、前記摘み片の少なくとも先端部が、前記蓋部材の上面部に対して鋭角又は平行となって立ち上げられている。
本発明の好ましい封緘容器は、前記蓋部材の縁部に、外側弧状面が形成され、前記摘み片の基端部が前記外側弧状面に対応するように、前記封緘ラベルが貼り付けられている。
【０００９】
本発明の第２の封緘容器は、上方開口型の周壁を有する容器本体と、前記容器本体に取り付けられ且つ容器本体の開口部を塞ぐ上面部を有する蓋部材と、前記容器本体と蓋部材に跨がった状態で貼り付けられた封緘ラベルと、を有し、前記蓋部材の縁部に、上方に延出され且つ平坦な突出面を有する延出部が形成され、前記封緘ラベルの面内に、両端部を有し且つその両端部から一方側に膨らんだ部分を有する非直線状の切込み線が形成され、前記切込み線で区画された部分が摘み片とされ、前記摘み片の基端部が、前記延出部の平坦な突出面に対応するように、前記封緘ラベルが貼り付けられていると共に、前記摘み片の少なくとも先端部が、前記封緘ラベルの表面から離れて突出されている。好ましくは、前記摘み片の少なくとも先端部が、前記蓋部材の上面部に対して鋭角又は平行となって立ち上げられている。
【発明の効果】
【００１０】
本発明の封緘容器は、摘み片の先端部を摘み易く、その摘み片を利用して封緘ラベルを簡単に分断できる。かかる封緘容器は、良好な封緘性と開封容易性を兼ね備えている。
さらに、本発明の封緘容器は、上面部に重ね置きした他の物品などを除いた後に、摘み片が元のように立ち上がり易いので、開封容易性を保持できる。
【図面の簡単な説明】
【００１１】
【図１】第１実施形態に係る封緘容器の斜視図。
【図２】図１のＩＩ−ＩＩ線で切断した拡大断面図。
【図３】図１の封緘容器を上側から見た上側拡大平面図。
【図４】第１実施形態の封緘ラベルを表面側から見た表側平面図。
【図５】同封緘ラベルを裏面側から見た裏側平面図。ただし、接着部が設けられた領域を判り易く図示するためにその領域に無数のドットを付加している。
【図６】図５のＶＩ−ＶＩ線で切断した断面図。
【図７】接着部の形成方法が異なる変形例の封緘ラベルを、図５のＶＩ−ＶＩ線と同様の箇所で切断した断面図。
【図８】封緘容器の摘み片を引き出して封緘ラベルを開封する状態を示す参考斜視図。
【図９】封緘容器上に物品を載せた状態を示す参考断面図。
【図１０】第２実施形態に係る封緘容器の斜視図。
【図１１】図１０のＸＩ−ＸＩ線で切断した拡大断面図。
【図１２】第３実施形態の第１例に係る封緘容器の拡大断面図（第３実施形態の封緘容器を図１のＩＩ−ＩＩ線と同様の箇所で切断。図１３及び図１４も同様）。
【図１３】第３実施形態の第２例に係る封緘容器の拡大断面図。
【図１４】第３実施形態の第３例に係る封緘容器の拡大断面図。
【図１５】第４実施形態の第１例に係る封緘ラベルを裏面側から見た裏側平面図。ただし、接着部が設けられた領域を判り易く図示するためにその領域に無数のドットを付加している（以下、図１６乃至図１９、図２１も同様）。
【図１６】第４実施形態の第２例に係る封緘ラベルを裏面側から見た裏側平面図。
【図１７】第４実施形態の第３例に係る封緘ラベルを裏面側から見た裏側平面図。
【図１８】第４実施形態の第４例に係る封緘ラベルを裏面側から見た裏側平面図。
【図１９】第４実施形態の第５例に係る封緘ラベルを裏面側から見た裏側平面図。
【図２０】第４実施形態の第６例に係る封緘ラベルを表面側から見た表側平面図。
【図２１】第４実施形態の第７例に係る封緘ラベルを裏面側から見た裏側平面図。
【図２２】図２１のＸＸＩＩ−ＸＸＩＩ線で切断した拡大断面図。
【発明を実施するための形態】
【００１２】
以下、本発明の実施形態について図面を参照しながら説明する。
本明細書において、「横方向」は、封緘ラベル（又は封緘ラベルを構成する基材）の面内における１つの方向であり、「縦方向」は、封緘ラベルの面内において前記横方向と直交する方向である。
また、「上」は、容器を水平面に安定的に自立させた状態を基準にして、水平面から離れる側を指し、「下」は、同状態を基準にして、水平面に近づく側を指す。さらに、「平面視」は、容器の場合には、容器の上面部に対して鉛直方向に見ることをいい、封緘ラベルの場合には、封緘ラベルの表面に対して鉛直方向に見ることをいう。
また、断面図におけるラベルなどの厚みは、実際のものとは異なっていることに留意されたい。
【００１３】
［第１実施形態］
図１乃至図３において、本発明の封緘容器１０は、容器本体２１と蓋部材２２とを有する容器２と、前記容器２を封緘する封緘ラベル１と、を有する。
容器本体２１は、上方開口型の周壁２１１を有し、蓋部材２２は、前記容器本体２１に取り付けられ且つ容器本体２１の開口部を塞ぐ上面部２２１を有する。封緘ラベル１は、前記容器本体２１と蓋部材２２に跨がった状態で貼り付けられている。封緘ラベル１は、その面内に摘み片３を有し、その摘み片３の少なくとも先端部３１が、前記封緘ラベル１の表面から離れて突出されている。
以下、封緘ラベル１と容器２について先ず説明した後、封緘容器１０について具体的に説明する。
【００１４】
＜封緘ラベル＞
図４乃至図６に於いて、封緘ラベル１は、基材４と、基材４の面内に形成された切込み線５と、を有し、好ましくは、前記基材４の面内には、さらに、第１切取り補助線６１及び第２切取り補助線６２が形成されている。
前記基材４は、例えば、平面視略長方形状に形成されている。もっとも、基材４の平面視形状は、これに限定されず、それぞれ独立して、例えば、平面視略正方形状、略円形状、略楕円形状、略三角形状、略六角形状などの略多角形状などに形成されていてもよい。本明細書において形状の「略」は、本発明の属する技術分野において許容される形状を意味する。前記平面視略長方形状、略正方形状、略三角形状及び略多角形状の「略」は、例えば、角部が面取りされている形状、辺の一部が僅かに膨らむ又は窪んでいる形状、辺が若干湾曲している形状などが含まれる。また、前記平面視略円形状及び略楕円形状の「略」は、例えば、周の一部が僅かに膨らむ又は窪んでいる形状、周の一部が若干直線又は斜線とされた形状などが含まれる。
【００１５】
基材４の大きさは、特に限定されず、貼り付ける容器２の大きさなどに応じて適宜設定できる。例えば、前記基材４が平面視略矩形状に形成される場合、その大きさは、縦×横＝１５ｍｍ〜１００ｍｍ×１０ｍｍ〜１００ｍｍ程度である。
【００１６】
基材４は、柔軟なシート材（一般にフィルムと呼ばれるものも同義である）から形成されている。前記シート材としては、例えば、紙、合成紙、合成樹脂製シート、金属蒸着シート、発泡樹脂シート、これらの積層シートなどが挙げられる。剛性及び復元性に優れていることから、基材４は、合成紙若しくは合成樹脂製シート又はこれらのシートを含む積層シートから形成されていることが好ましく、さらに、合成樹脂製シート又はこのシートを含む積層シートから形成されていることがより好ましい。
合成樹脂製シートなどの材質は特に限定されず、例えば、ポリエチレン、ポリプロピレン、環状オレフィン、ポリエチレンを含む共重合ポリマーなどのポリオレフィン系、ポリエチレンテレフタレートなどのポリエステル系、ポリアミド系、ポリスチレン系などが挙げられる。特に、摘み片が立ち上がるのに適した剛性及び復元性を有することから、合成樹脂製シートの材質としてポリエチレンテレフタレートを含むことが好ましい。基材４は、透明なシート材或いは不透明なシート材のいずれを用いてもよい。
また、基材４の厚みは、特に限定されないが、３０〜１５０μｍ程度が好ましい。
【００１７】
また、基材４は、引き裂き方向性を有するシート材であってもよい。引き裂き方向性は、その方向が他の方向に比して裂け易い性質をいう。基材４が引き裂き方向性を有する場合、少なくとも横方向（例えば、横方向及び縦方向）に引き裂き方向性を有することが好ましく、横方向のみに引き裂き方向性を有することがより好ましい。
引き裂き方向性を有する基材４としては、例えば、１軸延伸又は２軸延伸された合成樹脂製シート又はこれを含む積層シートなどが挙げられる。
なお、後述するように、封緘ラベル１は、その縦方向において容器２の蓋部材２２と容器本体２１に跨がるようにして貼付されるので、封緘ラベル１の縦方向は、蓋部材２２と容器本体２１の封緘に寄与する方向と言える。一方、封緘ラベル１の横方向は、前記縦方向と直交する方向であり、縦方向による封緘を解除する方向と言える。
少なくとも横方向に引き裂き方向性を有する基材４を用いることにより、摘み片３を引き出した際に、封緘ラベル１が横方向に切れていき易くなる。
また、基材４として反り癖を有するシート材を用いてもよい。かかるシート材を用いることにより、封緘ラベル１を開封した際に封緘ラベル１が浮き上がった状態となり、その外観変化から不正開封の有無を容易に発見できるようになる。このような基材４としては、例えば、乾燥や硬化反応などによる体積変化を生じるインキ塗膜が印刷法などで設けられたシート材、或いは、熱膨張率又は吸湿による体積変化率などの異なる異種材質のフィルム同士を積層接着した積層シートが挙げられる。
【００１８】
基材４には、必要に応じて、各種表示（商品名、懸賞案内などの広告を含む）を表した意匠印刷が施されている。意匠印刷（図示せず）は、基材４の少なくとも表面側から視認できるように設けられる。例えば、基材４が不透明である場合には、基材４の少なくとも表面に意匠印刷が施される。また、基材４が透明である場合には、基材４の表面及び裏面のうち少なくとも一方に意匠印刷が施される。なお、必要に応じて、基材４の裏面側から視認できる意匠印刷を施してもよい。
【００１９】
基材４の裏面には、容器２に貼り付けるための接着部７が設けられている。接着部７は、粘着剤層７１の裏面が露出した部分である。なお、本明細書において、粘着剤には、接着剤が含まれる。
前記粘着剤としては、感圧粘着剤、感熱粘着剤などが挙げられ、好ましくは、感圧粘着剤が用いられる。粘着剤層７１の厚みは、特に限定されず、例えば、１０μｍ〜５０μｍであり、好ましくは１５μｍ〜３０μｍである。
【００２０】
接着部７は、基材４の裏面全体に亘って設けられていてもよく、或いは、基材４の裏面のうち、第１領域４１及び第２領域４２に設けられていてもよい。前記第１領域４１は、封緘ラベル１を容器２に貼り付ける際に、蓋部材２２の上面部２２１に対応する領域の一部であり、第２領域４２は、封緘ラベル１を容器２に貼り付ける際に、容器本体２１の周壁２１１に対応する領域の一部である。第１領域４１は、基材４の、縦方向一方側の領域であり、第２領域４２は、縦方向反対側の領域である。第１領域４１と第２領域４２の間には、中間領域４３が存在する。
好ましくは、接着部７は、基材４の裏面のうち第１領域４１及び第２領域４２の裏面にそれぞれ設けられ、基材４の中間領域４３の裏面には、接着部が設けられていない。前記中間領域４３の裏面は、容器２に対して非接着となる。なお、前記非接着は、付着していない又は付着していても極めて小さな剥離力で剥がれる程度であることを意味し、例えば、下記の接着強度が０．５Ｎ／２５ｍｍ以下、好ましくは接着強度０．３Ｎ／２５ｍｍ以下で付着していることをいう。
【００２１】
接着部７の容器２に対する接着強度は、特に限定されないが、例えば、５Ｎ／２５ｍｍ以上であり、好ましくは、８Ｎ／２５ｍｍ以上であり、より好ましくは、１０Ｎ／２５ｍｍ以上である。
前記接着強度は、ＪＩＳ  Ｚ  ０２３７の１８０度剥離に準じた方法で測定された値をいう。具体的には、前記接着強度は、測定対象の接着部が設けられた基材（又は接着部が設けられていない非接着とされている基材）を１００ｍｍ×２５ｍｍに切り出し、それを容器２の表面の平坦部に貼り付け、温度２３±２℃、湿度５０±５％ＲＨ、３００ｍｍ／分の速度で１８０度剥離したときの最大強度をいう。
【００２２】
前記第１領域４１及び第２領域４２の裏面において、接着部７は、ベタ状に設けられていてもよく、或いは、平面視略網目状、略ストライプ状若しくは無数のドット状に設けられていてもよい。前記ベタ状は、接着部７が面方向に延在して１つの連続した層を成していることをいう。
図示例では、接着部７は、第１領域４１及び第２領域４２の裏面にベタ状に設けられている。
接着部７が設けられる第１領域４１及び第２領域４２の大きさは、特に限定されないが、余りに小さいと容器２に対する接着面積が小さくなるので、それぞれ独立して、縦方向の長さが５ｍｍ以上で且つ横方向の長さが１０ｍｍ以上であることが好ましい。第１領域４１及び第２領域４２は、容器２に対する接着の観点では何ら支障がないが、余りに大き過ぎても、材料コストが上がるので、例えば、縦方向の長さが３０ｍｍ以下で且つ横方向の長さが５０ｍｍ以下である。
【００２３】
接着部７の形成方法は、特に限定されず、公知の方法を採用できる。
基材４の裏面全体に接着部７を設ける場合には、基材４の裏面全体に亘って粘着剤を塗布する。
一方、第１領域４１及び第２領域４２に接着部７を設ける場合には、例えば、図６に示すように、基材４の裏面全体に粘着剤層７１を設け、第１領域４１及び第２領域４２となる範囲を除いて隠蔽剤を塗布して隠蔽層７２を積層することにより（以下、この方法を間接形成法という）、第１領域４１及び第２領域４２の裏面のみに粘着剤層７１を露出させることができる。隠蔽剤としては、紫外線硬化型インキ、シリコーンなどの剥離剤を含む塗工液などが挙げられる。隠蔽層７２の厚みは、特に限定されず、例えば、１μｍ〜１０μｍである。間接形成法は、粘着剤として感圧粘着剤を用いる場合に特に有効な方法である。
【００２４】
また、図７に示すように、第１領域４１及び第２領域４２の各裏面のみに、粘着剤を塗布して粘着剤層７１を積層することにより（以下、この方法を直接形成法という）、第１領域４１及び第２領域４２の裏面のみに粘着剤層７１を露出させることができる。直接形成法は、粘着剤として感熱粘着剤を用いる場合に特に有効な方法である。
感圧粘着剤を用いて所望の領域に接着部７を簡易に形成できることから、間接形成法が好ましい。
なお、他の断面図においては、層構成の描写が複雑になることから、接着部７を直接形成法で形成した場合で表している。
【００２５】
切込み線５は、中間領域４３の面内に形成されている。切込み線５は、基材４を２つに分断する線であり、両端部５１，５２から一方側に膨らんだ部分５３を有する。
詳しくは、切込み線５は、両端部５１，５２と、その両端部５１，５２の間で連続的に繋がった切り部５３と、を有し、切り部５３は、平面視非直線状に形成されている。好ましくは、切込み線５は、両端部５１，５２と、その両端部５１，５２の間であって縦方向に膨らむ凸頂部５３３を有する切り部５３と、を有する。より好ましくは、切込み線５は、第２領域４２側に配置された両端部５１，５２と、その両端部５１，５２の間であって第１領域４１側に膨らむ凸頂部５３３を有する平面視山型状の切り部５３と、を有する。
具体的には、切込み線５の両端部５１，５２は、横方向に所望間隔を開けて配置されている。図示例では、両端部５１，５２を結んだ仮想線が横方向に平行となるように切込み線５の両端部５１，５２が配置されているが、前記仮想線が横方向に対して傾斜するように、両端部５１，５２が配置されていてもよい（図示せず）。以下、横方向において向かい合った２つの側について、その一方側を「左側」といい、反対側を「右側」という。
【００２６】
また、切込み線５の切り部５３の凸頂部５３３は、図示例のように１ヶ所でもよく、或いは、２ケ所以上でもよい（図示せず）。もっとも、凸頂部５３３の数が余りに多いと、略鋸刃状の端縁を有する摘み片が形成されるので、凸頂部５３３の数は、１又は２ヶ所が好ましい。また、図示例の凸頂部５３３は、横方向にある程度の長さで直線状に延びているが、これに限定されず、点状の凸頂部５３３であってもよい（図示せず）。
切込み線５の切り部５３は、凸頂部５３３と、凸頂部５３３から左側の端部５１まで延びる左側切り部５３１と、凸頂部５３３から右側の端部５２まで延びる右側切り部５３２と、からなる。左側切り部５３１及び右側切り部５３２は、それぞれ独立して、平面視直線状に形成されていてもよく、平面視非直線状に形成されていてもよい。前記左側切り部５３１などの平面視非直線状としては、弧状、屈曲状などが挙げられる。なお、図示例では、左側切り部５３１及び右側切り部５３２は、緩やかな平面視弧状に形成されている。
【００２７】
好ましくは、左側切り部５３１及び右側切り部５３２は、両部の横方向間隔が凸頂部５３３から端部５１，５２に向かうに従って大きくなるように形成される。より好ましくは、図示例のように、左側切り部５３１及び右側切り部５３２が第２領域４２側に向かうに従って互いに離れるように、左側切り部５３１が凸頂部５３３から左側の端部５１に向かうに従って縦方向に対して傾斜し、且つ、右側切り部５３２が凸頂部５３３から右側の端部５２に向かうに従って縦方向に対して傾斜して形成される。この場合、左側切り部５３１の延長線は、基材４の左側縁４ａに交差し、右側切り部５３２の延長線は、基材４の右側縁４ｂに交差するようになる。
【００２８】
切込み線５の凸頂部５３３及び端部５１，５２は、それぞれ第１領域４１の接着部７の縁及び第２領域４２の接着部７の縁から離反されている。切込み線５の凸頂部５３３と第１領域４１の接着部７の縁までの縦方向長さは、特に限定されず、例えば、１０ｍｍ〜３０ｍｍ程度である。切込み線５の端部５１，５２と第２領域４２の接着部７の縁までの縦方向長さは、特に限定されず、それぞれ独立して、例えば、１０ｍｍ〜３０ｍｍ程度である。
【００２９】
基材４のうち、前記切込み線５で区画された部分は、摘み片３とされる。この摘み片３は、基端部３２において基材４に繋がっている。
切込み線５で区画された摘み片３の先端部３１は、切込み線５の凸頂部５３３の内側領域であり、摘み片３の基端部３２は、切込み線５の両端部５１，５２の間の領域である。
【００３０】
さらに、中間領域４３の面内には、切込み線５の左側の端部５１に連設された第１切取り補助線６１と、切込み線５の右側の端部５２に連設された第２切取り補助線６２と、が形成されている。
第１切取り補助線６１及び第２切取り補助線６２は、いずれも、切込み線５の端部５１，５２から第２領域４２側へと延ばされている。第１及び第２切取り補助線６１，６２は、それぞれ独立して、平面視直線状に形成されていてもよく、平面視非直線状に形成されていてもよい。前記第１切取り補助線６１などの平面視非直線状としては、弧状、屈曲状などが挙げられる。なお、図示例では、第１切取り補助線６１及び第２切取り補助線６２は、緩やかな平面視弧状に形成されている。
【００３１】
第１切取り補助線６１及び第２切取り補助線６２は、その線に沿って基材４が容易に分断されていくようにするために設けられた線である。第１切取り補助線６１及び第２切取り補助線６２としては、前記作用を有するものであれば特に限定されず、それぞれ独立して、例えば、ミシン目線、ハーフカット線などを用いることができる。これらは単独でまたは適宜組み合わせて用いることができる。
前記ミシン目線は、ミシン針の縫い目跡の如く、基材４の厚み方向に貫通する貫通孔（円形状の貫通孔または線状の貫通孔）が断続的に刻設された線である。前記ハーフカット線は、（基材４を貫通せず）基材４の厚み方向に略Ｖ字状に切り込んだ刻み部が連続する線である。好ましくは、第１切取り補助線６１及び第２切取り補助線６２としては、図示のように、ミシン目線が用いられる。
前記ミシン目線の貫通孔の長さ（貫通孔が円形状の場合には直径）は、特に限定されないが、例えば、０．３ｍｍ〜２．５ｍｍ程度に形成され、且つ、その非貫通部の長さが、例えば、０．３ｍｍ〜２．５ｍｍ程度に形成される。
【００３２】
好ましくは、第１切取り補助線６１及び第２切取り補助線６２は、両線の横方向間隔が第２領域４２側に向かって大きくなるように形成される。より好ましくは、図示例のように、第１切取り補助線６１及び第２切取り補助線６２が第２領域４２側に向かうに従って互いに離れるように、第１切取り補助線６１が縦方向に対して傾斜し、且つ、第２切取り補助線６２が縦方向に対して傾斜して形成される。この場合、第１切取り補助線６１は、基材４の左側縁４ａに至らず且つその左側縁４ａの内側部分まで形成されていてもよいが、好ましくは、図示例のように、第１切取り補助線６１は、基材４の左側縁４ａに交差するまで形成される。同様に、第２切取り補助線６２は、基材４の右側縁４ｂに至らず且つその右側縁４ｂの内側部分まで形成されていてもよいが、好ましくは、図示例のように、第２切取り補助線６２は、基材４の右側縁４ｂに交差するまで形成される。
【００３３】
＜容器及び封緘容器＞
上記封緘ラベル１を容器２に貼り付けることにより、本発明の封緘容器１０が構成される。
図１乃至図３において、容器２は、上方開口型の周壁２１１を有する容器本体２１と、容器本体２１に取り付けられ且つ容器本体２１の開口部を塞ぐ上面部２２１を有する蓋部材２２と、を有する。
【００３４】
具体的には、容器本体２１は、底面部２１２と、底面部２１２の周縁から上方に連設された筒状の周壁２１１と、を有する。周壁２１１の上方には、径外方向に延出されたフランジ部２１３が形成されている。フランジ部２１３が形成されていることにより、周壁２１１とフランジ部２１３の間には、段差が生じている。容器本体２１は、底面部２１２を下にして自立可能である。
周壁２１１の外面は、上方から下方に向かって次第に縮径しており、従って、周壁２１１は、逆錐台筒状に形成されている。もっとも、周壁２１１は、上下方向において周長が変わらない直胴筒状でもよく、或いは、上方に向かって次第に縮径した錐台筒状などであってもよい。また、図示例では、周壁２１１は、平面視略円形状に形成されているが、これに限定されず、平面視略楕円形状、平面視略矩形状などの略多角形状などであってもよい。
フランジ部２１３は、周壁２１１の外面よりも外側に延出されている。
【００３５】
前記蓋部材２２は、容器本体２１（周壁２１１）の上面開口部を塞ぐ上面部２２１と、周壁２１１のフランジ部２１３に係止される係止部２２３と、を有する。蓋部材２２は、係止部２２３をフランジ部２１３に係止嵌合することによって容器本体２１に取り付けられる。また、係止部２２３の係止を解除することにより、蓋部材２２を容器本体２１から取り外すことができる。また、蓋部材２２の上面部２２１の縁部には、外側弧状面２５１ａが形成されている。
図示例では、蓋部材２２は、周壁２１１と同様に、平面視略円形状に形成されているが、これに限定されず、平面視略楕円形状、平面視略矩形状などの略多角形状などであってもよい。
【００３６】
上面部２２１は、平坦面を有する。この平坦面は、容器２を自立させた状態において、水平面と平行である。図示例では、上面部２２１の全体（ただし、後述する延出部を除く）が平坦面とされている。もっとも、上面部２２１は、一部分に凹凸を有する平坦面、全体に亘って凹凸を有する凹凸面などに形成されていてもよい。前記凹凸面は、その凸部を結んで形成される仮想面が平坦面とされていることが好ましい。
【００３７】
係止部２２３は、上面部２２１の縁部から下方に垂設されている。係止部２２３の上方は、上面部２２１よりも上方に延出された延出部２２９とされている。換言すると、平面視において、蓋部材２２（上面部２２１）の縁部は、延出部２２９を有する。延出部２２９の高さは、特に限定されないが、例えば、１ｍｍ〜２０ｍｍであり、好ましくは、２ｍｍ〜１０ｍｍである。なお、延出部２２９の高さは、延出部２２９の頂部と上面部２２１との高低差をいう。従って、蓋部材２２の上面部２２１の縁部には、延出部２２９に起因した段差が生じている。
【００３８】
蓋部材２２の縁部を構成している延出部２２９は、その上面が少なくとも外側において断面視略弧状に形成され、好ましくは全体的に断面視略半円弧状に形成されている。外側において断面視略弧状に形成された部分は、図２に示すように、弧状の部分が外側を向いており、立体的に見ると、外側に向いた弧状面である（外側に膨らんだ弧状面である）。本明細書において、蓋部材２２の縁部の、外側において断面視略弧状に形成された部分を「外側弧状面」という。なお、前記断面視略半円弧状に形成された部分は、立体的に見ると、半円弧面である。
詳しくは、図２に示すように、延出部２２９の上面（蓋部材２２の縁部）には、半円弧面２５ａ（断面視略半円弧状）が形成されている。かかる半円弧面２５ａは、頂部２５３ａを挟んで外側弧状面２５１ａと内側弧状面２５２ａ（内側において断面視略弧状に形成された部分）とからなる。外側弧状面２５１ａ及び内側弧状面２５２ａは、いずれも、断面視において、頂部２５３ａに向かうに従って次第に傾斜角が緩やかになっている（次第に水平に近づく）。
前記延出部２２９は、係止部２２３の上方全体（上面部２２１の縁部全体）に亘って設けられている。従って、蓋部材２２の上面部２２１の縁部全体には、外側弧状面２５１ａを含む半円弧面２５ａが延在している。
【００３９】
容器本体２１及び蓋部材２２は、それぞれ独立して、例えば、紙材、防水性を有する紙材、樹脂シート成形品、樹脂射出成形品、発泡樹脂成形品、陶器、ガラス、金属などで形成される。容器本体２１と蓋部材２２は、同材質で形成されていてもよく、互いに異なる材料で形成されていてもよい。図示例の容器本体２１及び蓋部材２２は、いずれも、防水性を有する紙材から形成されている。
容器２内に収納される収納物は、特に限定されず、調味料などの食品、飲料、化粧品、医薬品、清掃用品、サニタリー品、おもちゃ、機械部品などが挙げられる。
【００４０】
封緘ラベル１は、接着部７を介して、容器本体２１の周壁２１１と蓋部材２２の上面部２２１とに跨がった状態で貼り付けられている。容器本体２１と蓋部材２２に跨がって貼り付けられた封緘ラベル１は、その中間領域４３が蓋部材２２の上面部２２１の縁部において折れ曲がる。
詳しくは、摘み片３の基端部３２が上面部２２１の外側弧状面２５１ａに対応するように位置合わせして、封緘ラベル１が容器本体２１の周壁２１１と蓋部材２２の上面部２２１の平坦面に跨がって貼り付けられている。そして、封緘ラベル１の第１領域４１の裏面が、接着部７を介して上面部２２１に貼り付けられ、第２領域４２が、接着部７を介して周壁２１１に貼り付けられている。封緘ラベル１の中間領域４３は、容器２に対して非接着であり、延出部２２９（上面部２２１の縁部）において折り曲げられている。図２に示すように、中間領域４３のうち第１領域４１に隣接する中間領域上部及び第２領域４２に隣接する中間領域下部は、それぞれ上面部２２１及び周壁２１１から離れて浮き上がっており、中間領域４３の残部は、延出部２２９を含む係止部２２３に非接着な状態で密着している。
【００４１】
封緘ラベル１の中間領域４３には非直線状の切込み線５で区画された摘み片３が形成され、摘み片３の基端部３２が外側弧状面２５１ａに位置し且つ封緘ラベル１がその外側弧状面２５１ａに沿って折り曲げられているので、摘み片３の少なくとも先端部３１が、外側弧状面２５１ａの傾斜に従い封緘ラベル１の表面（つまり、基材４の表面）から離れて突出され且つ蓋部材２２の上面部２２１に対して鋭角となって立ち上げられている。図示例では、摘み片３の基端部３２及びその近傍は外側弧状面２５１ａ（延出部２２９）に接しているが、先端部３１を含む摘み片３の半分以上が突出されている。
前記摘み片３の傾斜角である鋭角は、特に限定されないが、例えば、蓋部材２２の上面部２２１に対して０度を超え９０度未満であり、好ましくは１５度〜７５度である。
【００４２】
本発明の封緘容器１０は、摘み片３の少なくとも先端部３１が封緘ラベル１の表面から離れて突出されているので、摘み片３を簡単に摘むことができる（図８参照）。そして、摘み片３を摘んで第２領域４２側に引き出すことにより、切込み線５の両端部５１，５２から基材４が引き裂かれていき、中間領域４３を横方向において切断して２つに分断できる。
特に、左側切り部５３１及び右側切り部５３２の横方向間隔が凸頂部５３３から端部５１，５２に向かうに従って大きくなるように切込み線５が形成されていることにより、摘み片３を引き出した際に、切込み線５の左側の端部５１及び右側の端部５２から基材４の左側縁４ａ及び右側縁４ｂへとそれぞれ切れていきやすくなる。さらに、横方向に引き裂き方向性を有する基材４を用いた場合には、前記基材４の左側縁４ａ及び右側縁４ｂへの切れが促進される。また、基材４の面内に、第１切取り補助線６１及び第２切取り補助線６２が形成されている場合には、摘み片３を引き出した際に、切込み線５の左側の端部５１及び右側の端部５２から第１切取り補助線６１及び第２切取り補助線６２に略沿って基材４が切れていきやすくなる。
なお、中間領域４３の全体が容器２に対して非接着であるので、中間領域４３のうち第２領域４２側に位置する下方部（中間領域４３のうち、摘み片３の基端部３２を基準にして第２領域４２側の部分）に引き剥がし負荷が加わらず、摘み片３を利用して中間領域４３を横方向において容易に切断できる。
このように、本発明の封緘容器１０は、封緘ラベル１を容易に開封できる。
【００４３】
また、封緘容器１０の上に、他の物品９或いは同形態の封緘容器又は別形態の封緘容器などを重ね置きした際には、摘み片３の先端部３１がその物品９によって押される。
この点、本発明の封緘容器１０においては、摘み片３が上面部２２１に対して鋭角に立ち上げられているので、図９に示すように、物品９に押された摘み片３は、封緘ラベル１の面内に戻るようになり、無秩序に押し潰されることがない。このため、物品９を除去した後には、基材４の復元性により、摘み片３の少なくとも先端部３１が、元のように突出し、図１及び図２に示すように、蓋部材２２の上面部２２１に対して鋭角に立ち上がり易くなる。
【００４４】
本発明は、上記第１実施形態に限られず、適宜設計変更することができる。以下、本発明の他の実施形態を説明するが、上記第１実施形態と同様の構成については、説明を省略し、用語及び符号を援用する場合がある。
【００４５】
［第２実施形態］
上記第１実施形態では、摘み片３の先端部３１が上面部２２１に対して鋭角に傾斜して立ち上げられている場合を例示したが、摘み片３の少なくとも先端部３１が上面部２２１に対して平行となって立ち上げられていてもよい。
図１０及び図１１は、第２実施形態の封緘容器１０を示す。
第２実施形態の蓋部材２２は、第１実施形態と同様に、容器本体２１（周壁２１１）の上面開口部を塞ぐ上面部２２１と、周壁２１１のフランジ部２１３に係止される係止部２２３と、を有する。
【００４６】
上面部２２１は、平坦面を有し、上面部２２１の縁部には係止部２２３が垂下されている。係止部２２３の上方は、上面部２２１よりも上方に延出された延出部２２９とされているが、第２実施形態の延出部２２９は、断面視略コの字状（下向きに開口された略コの字状）に形成されている。この延出部２２９の上面は、断面視で上面部２２１と平行な直線状に形成され、立体的には、平坦面とされている。延出部２２９の上面と上面部２２１との間には、延出部２２９に起因した段差が生じている。従って、上面部２２１を基準として、延出部２２９の上面は上方に突出した突出面２６ａである。この突出面２６ａは、前述のように上面部２２１と平行な平坦面であり、好ましくは水平である。突出面２６ａの幅Ｗは、特に限定されないが、例えば、３ｍｍ〜２０ｍｍである。
なお、図示例の容器２は、前記突出面２６ａの外側に連続して外側弧状面２５１ａが形成されている。
容器本体２１のフランジ部２１３は、前記蓋部材２２の係止部２２３が嵌合する形状に形成されている。
このような容器２の形成材料は、特に限定されないが、通常、樹脂シート成形品や樹脂射出成形品から形成される。
なお、図１０及び図１１では、平面視略矩形状の容器本体２１及び蓋部材２２を例示しているが、このような形状に限定されるわけではない。
【００４７】
封緘ラベル１は、摘み片３の基端部３２が延出部２２９の突出面２６ａ（上面）に対応し且つ摘み片３の少なくとも先端部３１がその突出面２６ａの内縁２６１ａよりも内側に出るように位置合わせして、第１実施形態と同様に、第１領域４１の裏面が接着部７を介して上面部２２１に貼り付けられ、第２領域４２が接着部７を介して周壁２１１に貼り付けられている。
封緘ラベル１の中間領域４３は、延出部２２９において折り曲げられている。摘み片３の基端部３２が上面部２２１と平行な突出面２６ａに位置し且つ延出部２２９が上面部２２１よりも上方に延出されているので、摘み片３の少なくとも先端部３１は、封緘ラベル１の表面（つまり、基材４の表面）から離れて突出され且つ蓋部材２２の上面部２２１と平行となって立ち上げられている。
かかる封緘容器１０も、摘み片３の少なくとも先端部３１が封緘ラベル１の表面から離れて突出されているので、上記第１実施形態と同様に、摘み片３を簡単に摘むことができ、摘み片３を利用して封緘ラベル１を２つに分断して簡単に開封できる。
また、この封緘容器１０の上に他の物品などを重ね置きしても、摘み片３が無秩序に押し潰されることがなく、立ち上がり易い。
【００４８】
なお、上記第１実施形態の図２などで示したような、外側弧状面２５１ａを有する延出部２２９であっても、摘み片３の基端部３２がその延出部２２９の頂部２５３ａに対応するように位置合わせして封緘ラベル１を貼り付けることにより（図示せず）、摘み片３の少なくとも先端部３１が上面部２２１に対して平行となって立ち上げられた封緘容器が得られる。
【００４９】
一方、本実施形態で示した図１１の容器２は、延出部２２９が平坦な突出面２６ａと外側弧状面２５１ａを有するので、摘み片３の基端部３２がその延出部２２９の外側弧状面２５１ａに対応するように位置合わせして封緘ラベル１を貼り付けることにより（図示せず）、上記第１実施形態のように、摘み片３の少なくとも先端部３１が上面部２２１に対して鋭角に傾斜して立ち上げられた封緘容器１０が得られる。
また、図１１では、延出部２２９の突出面２６ａが上面部２２１と平行な平坦面に形成されている容器２を図示したが、例えば、延出部２２９の突出面２６ａが上面部２２１に対して鋭角に傾斜した平坦面に形成されている容器２を用いた場合には（図示せず）、摘み片３の少なくとも先端部３１が上面部２２１に対して鋭角に傾斜して立ち上げられた封緘容器１０となる。この傾斜した平坦面は、第１実施形態及び第１実施形態以外の実施形態で図示した外側弧状面に代えて、その面が断面視傾斜直線状（傾斜した平坦面）とされているものである。
【００５０】
［第３実施形態］
上記第１及び第２実施形態では、蓋部材２２が容器本体２１に嵌着される容器２を例示したが、蓋部材２２の容器本体２１に対する取り付け構造は、嵌着に限られず、例えば、図１２に示すように、ネジ作用で容器本体２１に取り付けられる蓋部材２２であってもよい。また、上記第１及び第２実施形態では、フランジ部２１３を有する容器本体２１を例示したが、例えば、図１２及び図１３に示すようにフランジ部を有さない容器本体２１でもよい。この場合、蓋部材２２の係止部２２３の外面と容器本体２１の周壁２１１の外面が、図示のように面一であってもよく、或いは、係止部２２３と周壁２１１の間に段差が生じるように係止部２２３が周壁２１１よりも径大又は径小に形成されていてもよい。なお、図１２は、摘み片３の少なくとも先端部３１が、蓋部材２２の上面部２２１に対して鋭角となって立ち上げられた封緘容器１０を示し、図１３は、摘み片３の少なくとも先端部３１が、封緘ラベル１から離れて蓋部材２２の上面部２２１に平行となって立ち上げられた封緘容器１０を示している。なお、図１３では、平坦な突出面２６ａの外側は、（弧状面を有さず）直角状に形成されている。
【００５１】
さらに、上記第１実施形態では、係止部２２３の上方の延出部２２９が蓋部材２２の上面部２２１よりも上方に延出されている容器２を例示したが、これに限られず、例えば、図１４に示すように、係止部２２３の上面と上面部２２１が面一であってもよい。この場合、図示のように、上面部２２１の縁部が外側弧状面２５１ａを有するように形成し、封緘ラベル１の基端部３２がこの外側弧状面２５１ａに対応するように封緘ラベル１を貼り付けることにより、摘み片３の少なくとも先端部３１が、蓋部材２２の上面部２２１に対して鋭角となって立ち上げられた封緘容器１０を構成できる。
【００５２】
［第４実施形態］
第４実施形態は、封緘ラベル１の様々な態様を列記する。
上記第１乃至第３実施形態では、第１領域４１及び第２領域４２に接着部７が設けられ且つ中間領域４３が非接着とされているが、中間領域４３の一部分にも接着部７が設けられていてもよい。
【００５３】
例えば、図１５は、中間領域４３のうち第２領域４２に隣接する中間領域下部の裏面に、接着部７が設けられている封緘ラベル１を示す。中間領域下部の接着部７は、第１切取り補助線６１の下端部及び第２切取り補助線６２の下端部の近傍にまで設けられている。
図１６は、中間領域４３のうち第１領域４１に隣接する中間領域上部の裏面に、接着部７が設けられている封緘ラベル１を示す。中間領域上部の接着部７は、切込み線５の凸頂部５３３の外側近傍にまで設けられている。なお、図示例では、中間領域下部の裏面にも、接着部７が設けられている。
【００５４】
図１７は、中間領域４３のうち第１領域４１に隣接する中間領域上部の裏面に、接着部７が設けられている封緘ラベル１を示す。図１７の中間領域上部の接着部７は、切込み線５並びに第１切取り補助線６１及び第２切取り補助線６２の外側近傍にまで設けられている点で、図１６と異なっている。なお、図示例では、中間領域下部の裏面には接着部７が設けられていない。
図１８は、基材４の裏面のうち、切込み線５並びに第１切取り補助線６１及び第２切取り補助線６２で区画された領域を除く裏面に、接着部７が設けられている封緘ラベル１を示す。この場合、接着部７は、切込み線５並びに第１切取り補助線６１及び第２切取り補助線６２の外側においてそれぞれ隣接している。
【００５５】
図１９は、中間領域４３のうち第２領域４２に隣接する中間領域下部の裏面に、接着部７が設けられている封緘ラベル１を示す。図１９の中間領域下部の接着部７は、第１切取り補助線６１及び第２切取り補助線６２の内側近傍にまで設けられている点で、図１５と異なる。
なお、図１９に示すように、接着部７が切込み線５並びに第１切取り補助線６１及び第２切取り補助線６２で区画された領域にまで延在されている封緘ラベル１は、その領域にて容器２に接着する場合があり、その領域が容器２に接着すると、摘み片３にて開封する際に生じる切断が、第１切取り補助線６１及び第２切取り補助線６２から逸れる蓋然性が高くなる。かかる観点から、切込み線５並びに第１切取り補助線６１及び第２切取り補助線６２で区画された領域に接着部７を設ける場合には、当該領域の接着部７の接着力を弱接着とすることにより、摘み片３の不用意な剥がれを防止しつつ、開封時に封緘ラベル７が横方向において２つに分断され易くなる。或いは、図５、図１６、図１７及び図１８に示すように、切込み線５並びに第１切取り補助線６１及び第２切取り補助線６２で区画された領域を除いて、接着部７を設けることにより、開封時に封緘ラベル７が横方向において２つに分断され易くなる。
なお、前記弱接着の接着強度としては、例えば、０．７Ｎ／２５ｍｍ〜４Ｎ／２５ｍｍ以上であり、好ましくは、１Ｎ／２５ｍｍ〜３Ｎ／２５ｍｍである。この接着強度は、上記と同様にＪＩＳ  Ｚ  ０２３７の１８０度剥離に準じた方法で測定された値をいう。
【００５６】
また、基材４の面内に、さらに、切り目８１を形成してもよい。
例えば、図２０に示すように、第１領域４１及び／又は第２領域４２の面内に、平面視略×状の切り目８１を形成してもよい。なお、切り目８１の形状は、これに限られず、例えば、略Ｖ字状、略Ｕ字状などの様々な形状に変更できる。かかる切り目８１を形成することにより、例えば、第１領域４１又は第２領域４２の縁から封緘ラベル１を引き剥がしたときに、切り目８１にて封緘ラベル１が無秩序に分断され、封緘ラベル１を元のように容器２に貼り付けることができない。かかる切り目８１を形成することにより、不正開封の有無を容易に発見できる。
なお、図２０では、切込み線５の凸頂部５３３として、点状の凸頂部５３３を例示している。
【００５７】
さらに、切込み線５で区画された部分を摘み片３とする本発明において、前記切込み線５に別途の切込み線８２（以下、第２切込み線８２という）が連設されていてもよい。
例えば、図２１及び図２２に示すように、中間領域４３の面内に、切込み線５の両端部５１，５２に連設された第２切込み線８２が形成されていてもよい。この第２切込み線８２は、切込み線５の両端部５１，５２から第１領域４１側に膨らんだ平面視非直線状である。かかる第２切込み線８２と切込み線５とで囲繞された部分は除去され、除去後には、中間領域４３の面内に孔部８３が生じている。このような両端部５１，５２において繋がった第２切込み線８２と切込み線５は、全体的に見ると、中間領域４３の面内に前記孔部を穿設したとも言える。
【００５８】
［他の実施形態］
また、上記各実施形態では、容器の蓋部材が係止部にて容器本体に着脱可能に取り付けられる構造のものを例示したが、これに限定されず、例えば、蓋部材が容器本体に熱シールや接着剤などを用いて接着されている容器などに封緘ラベルを貼り付けてもよい（図示せず）。このような容器としては、例えば、即席麺が入れられた容器などが挙げられる。
なお、上記様々な実施形態から選ばれる２以上の構成を適宜組み合わせてもよく、或いは、上記様々な実施形態から選ばれる１つ又は２つ以上の構成を、それ以外の実施形態に置換してもよい。
【符号の説明】
【００５９】
１  封緘ラベル
２  容器
２１  容器本体
２１１  容器本体の周壁
２２  蓋部材
２２１  蓋部材の上面部
２５１ａ  外側弧状面
２６ａ  突出面
３  摘み片
３１  摘み片の先端部
３２  摘み片の基端部
４  基材
５  切込み線
６１，６２  第１及び第２切取り補助線
１０  封緘容器
【図１】
0006670655.tif 000002
【図２】
0006670655.tif 000003
【図３】
0006670655.tif 000004
【図４】
0006670655.tif 000005
【図５】
0006670655.tif 000006
【図６】
0006670655.tif 000007
【図７】
0006670655.tif 000008
【図８】
0006670655.tif 000009
【図９】
0006670655.tif 000010
【図１０】
0006670655.tif 000011
【図１１】
0006670655.tif 000012
【図１２】
0006670655.tif 000013
【図１３】
0006670655.tif 000014
【図１４】
0006670655.tif 000015
【図１５】
0006670655.tif 000016
【図１６】
0006670655.tif 000017
【図１７】
0006670655.tif 000018
【図１８】
0006670655.tif 000019
【図１９】
0006670655.tif 000020
【図２０】
0006670655.tif 000021
【図２１】
0006670655.tif 000022
【図２２】
0006670655.tif 000023